(57)【要約】【課題】送信元のビデオ信号についてＩＰパケット形式に変換されて個別のマルチキャストグループアドレスが割り当てられたＩＰビデオ信号に対し別のＩＰビデオ信号の割り込み送信先への中継を可能とするＩＰビデオ割込装置を提供する。【解決手段】本発明のＩＰビデオ割込装置４０は、第１のマルチキャストグループアドレスが割り当てられた第１のＩＰビデオ信号及び第２のマルチキャストグループアドレスが割り当てられた第２のＩＰビデオ信号を入力して一括管理し、電気的な外部制御で第１のＩＰビデオ信号と第２のＩＰビデオ信号を選択し、その第２のＩＰビデオ信号に割り当てられていた第２のマルチキャストグループアドレスを、第１のマルチキャストグループアドレスに書き換えるヘッダ変換を行い、第２のＩＰビデオ信号を第１のマルチキャストグループアドレスに係る送信先に伝送するよう中継出力する。【選択図】図２
2019193032.tif 000002
【特許請求の範囲】
【請求項１】
放送に係るビデオ信号についてＩＰパケット形式に変換されたマルチキャスト通信のＩＰビデオ信号の割り込みを電気的な外部制御で選択的に可能とするＩＰビデオ割込装置であって、
第１のマルチキャストグループアドレスが割り当てられた第１のＩＰビデオ信号及び第２のマルチキャストグループアドレスが割り当てられた第２のＩＰビデオ信号を入力するＩＰビデオ入力手段と、
当該入力された前記第１のＩＰビデオ信号及び前記第２のＩＰビデオ信号を一括管理するＩＰビデオ管理手段と、
前記ＩＰビデオ管理手段からの出力を、前記第２のＩＰビデオ信号に割り当てられていた第２のマルチキャストグループアドレスを、前記第１のマルチキャストグループアドレスに書き換えるヘッダ変換を行うことにより、前記第２のＩＰビデオ信号を割り込ませるヘッダ変換手段と、
当該割り込ませた前記第２のＩＰビデオ信号を前記第１のマルチキャストグループアドレスに係る所定のビデオ信号受信装置に伝送するよう中継出力する出力手段と、
を備えることを特徴とするＩＰビデオ割込装置。
【請求項２】
前記ヘッダ変換手段の前段又は後段に、前記ＩＰビデオ入力手段に入力された前記第１のＩＰビデオ信号及び前記第２のＩＰビデオ信号を含むＩＰビデオ信号を、前記電気的な外部制御で選択的に切り替えて多重化する多重化手段を更に備えることを特徴とする、請求項１に記載のＩＰビデオ割込装置。
【請求項３】
当該ＩＰビデオ割込装置にＷｅｂ接続する割込制御端末に対し、前記電気的な外部制御を行う制御ＵＩを提示するＷｅｂサーバ機能手段を有し、
前記制御ＵＩは、前記割込制御端末に対し前記多重化手段にて多重化可能なＩＰビデオ信号のマルチキャストグループアドレス群を監視可能とするよう提示することを特徴とする、請求項２に記載のＩＰビデオ割込装置。
【請求項４】
前記Ｗｅｂサーバ機能手段は、前記制御ＵＩとして、前記多重化手段にて多重化可能なＩＰビデオ信号のマルチキャストグループアドレス群と、当該多重化可能なＩＰビデオ信号のうち多重化させるものを選択可能とし、且つマルチキャストグループアドレスの書き換えを選択可能とする切替指定を提示することを特徴とする、請求項３に記載のＩＰビデオ割込装置。
【発明の詳細な説明】
【技術分野】
【０００１】
本発明は、ＩＰ（Internet protocol）パケットを用いて映像・音声等のＩＰビデオ信号を伝送し交換する技術に関し、特に、マルチキャスト通信に係るＩＰビデオ信号の割り込み制御を行うＩＰビデオ割込装置に関する。
【背景技術】
【０００２】
（マトリックススイッチャー）
テレビ番組の制作や送出においては、ＶＴＲやスタジオ、送出装置の間でビデオ信号（映像・音声信号等）を授受する必要がある。そこで、ビデオ信号を伝送する映像出力装置と映像入力装置の組み合わせを簡単に変えられるように、装置と装置を直接接続するのではなく、マトリックススイッチャーを経由して接続することが一般的に行われている。マトリックススイッチャーは、接続したい出力装置と入力装置の信号線を、電気的もしくは機械的スイッチ（クロスポイント）を用いて接続することで、ビデオ信号の流路を制御し、通信相手を切り替えることを可能にしている（例えば、特許文献１参照）。
【０００３】
（ビデオパッチパネル）
また、ビデオ信号のケーブル群を収納し接続するためのビデオパッチパネルが知られている。ビデオパッチパネルは、マトリックススイッチャーを使わずに簡便に信号の経路を選択できるように、機器からのケーブル（パッチケーブル）をパネル前面のジャックに接続し、その背後に恒久的なケーブルを配設したものとなっている。
【０００４】
ただし、一般的に、マトリックススイッチャーを利用したシステムでは、そのマトリックススイッチャーの前後にビデオパッチパネルを設置している。マトリックススイッチャーに入力していない映像出力装置からのビデオ信号をマトリックススイッチャーへ入力するためには、パッチパネルに仮設のケーブルを接続することで、電気的にビデオ信号を割り込むことが可能である。このとき、マトリックススイッチャーシステムにおいては、仮設のケーブル接続により割り込んだビデオ信号は、当該恒久的なケーブルで入力しているビデオ信号のリソースとして運用上扱うことができる。このビデオ信号を割り込ませることを、以下パッチングと呼ぶ。
【０００５】
ところで、従来のマトリックススイッチャー及びビデオパッチパネルを利用したシステムでは、このシステムに係る映像出力装置や映像入力装置でのビデオ信号の入出力について、同期デジタル信号やアナログ電気信号など非パケット形式の信号を同軸ケーブルで伝送することで行われている。
【０００６】
（ＩＰビデオスイッチャー）
一方、映像出力装置や映像入力装置に、ＩＰビデオスイッチャーにおける非パケット形式のビデオ信号からＩＰパケット形式のＩＰビデオ信号への変換、ＩＰパケット形式のＩＰビデオ信号から非パケット形式のビデオ信号への変換機能を持たせることで、同軸ケーブルの代わりに１０ＧｂＥ（ギガイーサネット（登録商標））、４０ＧｂＥなどＩＰネットワークで使われている高速なデバイスやパケット中継装置を用いて、ビデオ信号を伝送することが可能になる。このようにＩＰネットワークを用いてビデオ信号を伝送するシステムを以後ＩＰビデオシステムと呼ぶ。ＩＰビデオシステムは、１本のケーブルに複数のビデオ信号を多重して伝送することが極めて容易であり、ケーブルの削減が期待できる。
【０００７】
（マルチキャスト）
ＩＰビデオシステムなど、複数の装置に信号を分配したい場合には、マルチキャスト通信が用いられる（例えば、特許文献２参照）。マルチキャスト通信では、送信端末はＩＰアドレスにマルチキャストグループアドレスを記入してパケットを送信する。受信端末は、パケット中継装置に受信を希望するマルチキャストグループアドレスを要求し、パケット中継装置は、要求されたマルチキャストグループのパケットの中継を開始する。そして、パケット中継装置は、該当するパケットを要求元の受信端末に転送するように、中継装置のルーティング動作を変更し、内部のルーティング情報を修正する。このようにして、マルチキャストグループアドレスに基づくパケットが受信端末に送られる。一般的なマルチキャストＩＰビデオシステムでは、送信端末の通信設定変更は不要であるが、受信端末がマルチキャストグループの受信の要求や停止する制御を行う必要がある。
【０００８】
ここで、放送に係るビデオ信号についてＩＰパケットを用いて配信する際に想定されるＩＰビデオシステムについて、図４を参照して説明する。図４は、従来技法に基づいて放送に係るＩＰビデオ信号の典型的なマルチキャスト通信を行うＩＰビデオシステムの概略構成を示すブロック図である。
【０００９】
まず、放送センター設備１では、ラック室と称される中央通信制御設備としてラック室設備４が設けられている。ラック室設備４は、送信元となるマルチキャスト通信（本例では１０ＧｂＥ）のＩＰビデオ信号のリソースとして、屋外設備２やラック室外設備３からそれぞれのマルチキャストグループアドレスが記述された送信元のＩＰビデオ信号を一括して集約し、当該マルチキャストグループアドレスに従う送信先へと配信することができる。尚、ＩＰビデオ信号のリソースの名称は、標準規格ＳＭＰＴＥ２０２２−５／６に基づいて１０ＧｂＥ等のフレーム内のＩＰｖ４ヘッダに記述されたマルチキャストグループアドレスに紐づいている。
【００１０】
例えば、屋外設備２では、非パケット形式のビデオ信号の送信元としてビデオ信号送信装置２０‐Ｌ（Ｌは１以上の整数）が設けられ、ビデオ信号送信装置２０‐Ｌは、ＨＤ−ＳＤＩ規格に基づく同軸ケーブルを介してＩＰゲートウェイ（ＩＰ−ＧＷ）装置２１に接続される。ＩＰ−ＧＷ装置２１は、各ビデオ信号送信装置２０‐Ｌから非パケット形式のビデオ信号を入力し、ＩＰビデオスイッチャーによる非パケット形式のビデオ信号からＩＰパケット形式のＩＰビデオ信号へと変換する機能と、ＩＰアドレスにマルチキャストグループアドレスを記述してマルチキャスト通信（本例では１０ＧｂＥ）のＩＰビデオ信号へと変換する機能を有し、ビデオ信号送信装置２０‐Ｌをリソースとするビデオ信号についてマルチキャスト通信（本例では１０ＧｂＥ）のＩＰビデオ信号に変換してネットワークを経てラック室設備４へと送信する。尚、ＩＰ−ＧＷ装置２１によるマルチキャストグループアドレスの割り当ては、制御サーバ（図示せず）によって予めスケジューリングされたものに従うものとなっている。
【００１１】
同様に、放送センター設備１内であっても、ラック室外設備３において、非パケット形式のビデオ信号の送信元としてビデオ信号送信装置３０‐Ｍ（Ｍは１以上の整数）が設けられ、ビデオ信号送信装置３０‐Ｍは、ＨＤ−ＳＤＩ規格に基づく同軸ケーブルを介してＩＰゲートウェイ（ＩＰ−ＧＷ）装置３１に接続される。ＩＰ−ＧＷ装置３１は、各ビデオ信号送信装置３０‐Ｍから非パケット形式のビデオ信号を入力し、ＩＰビデオスイッチャーによる非パケット形式のビデオ信号からＩＰパケット形式のＩＰビデオ信号へと変換する機能と、ＩＰアドレスにマルチキャストグループアドレスを記述してマルチキャスト通信（本例では１０ＧｂＥ）のＩＰビデオ信号へと変換する機能を有し、ビデオ信号送信装置３０‐Ｍをリソースとするビデオ信号についてマルチキャスト通信（本例では１０ＧｂＥ）のＩＰビデオ信号に変換してラック室設備４へと送信する。尚、ＩＰ−ＧＷ装置３１によるマルチキャストグループアドレスの割り当ては、制御サーバ（図示せず）によって予めスケジューリングされたものに従うものとなっている。
【００１２】
ラック室設備４では、ＩＰビデオルーター（ＩＰ−ＶＲ）装置４１、ＩＰゲートウェイ（ＩＰ−ＧＷ）装置４２、及びビデオ信号受信装置４３‐Ｎ（Ｎは１以上の整数）が設けられている。ビデオ信号受信装置４３‐Ｎは、ＨＤ−ＳＤＩ規格に基づく同軸ケーブルを介してＩＰ−ＧＷ装置４２に接続される。ただし、ビデオ信号受信装置４３‐Ｎ（Ｎは１以上の整数）は、ラック室設備４内のものに限定する必要はない。
【００１３】
ＩＰ−ＶＲ装置４１は、屋外設備２及びラック室外設備３におけるそれぞれのＩＰ−ＧＷ装置２１，３１からマルチキャスト通信（本例では１０ＧｂＥ）のＩＰビデオ信号を個別に入力し、配信制御してＩＰ−ＧＷ装置４２に出力する。ＩＰ−ＧＷ装置４２は、ＩＰ−ＶＲ装置４１を経て得られるＩＰビデオ信号を入力し、ＩＰアドレスに記述されたマルチキャストグループアドレスに従うマルチキャスト通信（本例では１０ＧｂＥ）のＩＰビデオ信号について、ＩＰビデオスイッチャーによるＩＰパケット形式のＩＰビデオ信号から非パケット形式のビデオ信号へと変換する機能を有し、当該マルチキャストグループのビデオ受信装置４３‐Ｎへと送信する。尚、ＩＰ−ＧＷ装置４２によるマルチキャストグループアドレスの割り当ては、制御サーバ（図示せず）によって予めスケジューリングされたものに従うものとなっている。
【００１４】
また、ビデオ受信装置４３‐Ｎは、マルチキャストグループの受信の要求や停止する制御を行って、所望のマルチキャスト通信（本例では１０ＧｂＥ）のＩＰビデオ信号についての配信を受けることができる。しかし、送信側から、例えば屋外設備２やラック室外設備３側から、特異に割り当てられるマルチキャストグループアドレスで制御されるＩＰビデオ信号ごとに、電気的な制御でのパッチング（ＩＰビデオ信号の割り込み）を行うことができない。
【００１５】
尚、マルチキャスト通信ではないが、複数の映像出力装置と映像入力装置の間で、ＩＰビデオ信号を切り替えるように構成されるクロスバースイッチをルーター装置に設ける技法が知られている（例えば、特許文献３参照）。特許文献３の技法では、各ＩＰビデオ信号に対する転送アドレスを動的にマップし、システム時間及びマップされた転送アドレスを有する制御命令によるクロスバースイッチを制御する際に、システム時間に従って各ＩＰビデオ信号の伝搬のタイミングを制御するものとしている。
【先行技術文献】
【特許文献】
【００１６】
【特許文献１】特願２００５−３３５１１号公報
【特許文献２】国際公開第２００７／１２９３９７明細書
【特許文献３】国際公開第２０１６／０３８２１７明細書
【発明の概要】
【発明が解決しようとする課題】
【００１７】
図４を参照して上述したように、放送に係るマルチキャスト通信を行う従来のＩＰビデオシステムにおいて、１０ＧｂＥ、４０ＧｂＥ等にＩＰビデオ信号を多重して伝送するため、特異に割り当てられるマルチキャストグループアドレスで制御されるＩＰビデオ信号ごとに、電気的な制御でのパッチング（ＩＰビデオ信号の割り込み）を行うことができない。
【００１８】
図４に示したようなＩＰビデオシステムでは、ＩＰ−ＶＲ装置４１が、屋外設備２及びラック室外設備３におけるそれぞれのＩＰ−ＧＷ装置２１，３１からマルチキャスト通信（本例では１０ＧｂＥ）のＩＰビデオ信号を個別に入力する必要があるため、放送に係るビデオ信号についてＩＰパケットを用いて配信する際の利便性や帯域効率をより高める技法が望まれる。
【００１９】
また、仮に、特許文献３の技法を利用して電気的な制御でのパッチングを行うとすると、全てのマルチキャストグループ内に位置するルーター装置に対してクロスバースイッチを設け、その全てのルーター装置に対して同時に電気的な制御でのパッチングを行う必要が生じ効率的に電気的な制御でのパッチングを行うことができない。
【００２０】
本発明の目的は、上述の問題に鑑みて、送信元のビデオ信号についてＩＰパケット形式に変換されて個別のマルチキャストグループアドレスが割り当てられたＩＰビデオ信号に対し別のＩＰビデオ信号の割り込み送信先への中継を可能とするＩＰビデオ割込装置を提供することにある。
【課題を解決するための手段】
【００２１】
本発明のＩＰビデオ割込装置は、放送に係るビデオ信号についてＩＰパケット形式に変換されたマルチキャスト通信のＩＰビデオ信号の割り込みを電気的な外部制御で選択的に可能とするＩＰビデオ割込装置であって、第１のマルチキャストグループアドレスが割り当てられた第１のＩＰビデオ信号及び第２のマルチキャストグループアドレスが割り当てられた第２のＩＰビデオ信号を入力するＩＰビデオ入力手段と、当該入力された前記第１のＩＰビデオ信号及び前記第２のＩＰビデオ信号を一括管理するＩＰビデオ管理手段と、前記ＩＰビデオ管理手段からの出力を、前記第２のＩＰビデオ信号に割り当てられていた第２のマルチキャストグループアドレスを、前記第１のマルチキャストグループアドレスに書き換えるヘッダ変換を行うことにより、前記第２のＩＰビデオ信号を割り込ませるヘッダ変換手段と、当該割り込ませた前記第２のＩＰビデオ信号を前記第１のマルチキャストグループアドレスに係る所定のビデオ信号受信装置に伝送するよう中継出力する出力手段と、を備えることを特徴とする。
【００２２】
また、本発明のＩＰビデオ割込装置において、前記ヘッダ変換手段の前段又は後段に、前記ＩＰビデオ入力手段に入力された前記第１のＩＰビデオ信号及び前記第２のＩＰビデオ信号を含むＩＰビデオ信号を、前記電気的な外部制御で選択的に切り替えて多重化する多重化手段を更に備えることを特徴とする。
【００２３】
また、本発明のＩＰビデオ割込装置において、当該ＩＰビデオ割込装置にＷｅｂ接続する割込制御端末に対し、前記電気的な外部制御を行う制御ＵＩを提示するＷｅｂサーバ機能手段を有し、前記制御ＵＩは、前記割込制御端末に対し前記多重化手段にて多重化可能なＩＰビデオ信号のマルチキャストグループアドレス群を監視可能とするよう提示することを特徴とする。
【００２４】
また、本発明のＩＰビデオ割込装置において、前記Ｗｅｂサーバ機能手段は、前記制御ＵＩとして、前記多重化手段にて多重化可能なＩＰビデオ信号のマルチキャストグループアドレス群と、当該多重化可能なＩＰビデオ信号のうち多重化させるものを選択可能とし、且つマルチキャストグループアドレスの書き換えを選択可能とする切替指定を提示することを特徴とする。
【発明の効果】
【００２５】
本発明によれば、放送に係るマルチキャスト通信に基づくリソースのＩＰビデオ信号について一括管理し、電気的な外部制御で別のＩＰビデオ信号の割り込みを可能とし、所定のビデオ信号受信装置に伝送するよう中継することができるので、放送に係るマルチキャスト通信のＩＰビデオシステムにおける利便性又は帯域効率を高めることができる。
【図面の簡単な説明】
【００２６】
【図１】本発明による一実施形態のＩＰビデオ割込装置を備える、放送に係るＩＰビデオ信号のマルチキャスト通信を行うＩＰビデオシステムの概略構成を示すブロック図である。
【図２】本発明による一実施形態のＩＰビデオ割込装置の概略構成を示すブロック図である。
【図３】本発明による一実施形態のＩＰビデオ割込装置の一動作例に基づく動作説明図である。
【図４】従来技法に基づいて放送に係るＩＰビデオ信号の典型的なマルチキャスト通信を行うＩＰビデオシステムの概略構成を示すブロック図である。
【発明を実施するための形態】
【００２７】
以下、図１乃至図３を参照して、本発明による一実施形態のＩＰビデオ割込装置４０について説明する。
【００２８】
〔放送に係るＩＰビデオ信号のマルチキャスト通信を行うＩＰビデオシステム〕
図１は、本発明による一実施形態のＩＰビデオ割込装置４０を備える、放送に係るＩＰビデオ信号のマルチキャスト通信を行うＩＰビデオシステムの概略構成を示すブロック図である。図１に示すＩＰビデオシステムは、図４に示す従来技法に基づくＩＰビデオシステムと比較して、ラック室設備４内に、本発明による一実施形態のＩＰビデオ割込装置４０が設けられている点、及びＩＰビデオ割込装置４０が割込制御端末１０によって電気的な外部制御（遠隔制御）によって制御されるように構成されている点で相違している。
【００２９】
まず、放送センター設備１では、ラック室と称される中央通信制御設備としてラック室設備４が設けられている。ラック室設備４は、送信元となるマルチキャスト通信（本例では１０ＧｂＥ）のＩＰビデオ信号のリソースとして、屋外設備２やラック室外設備３からそれぞれのマルチキャストグループアドレスが記述された送信元のＩＰビデオ信号を一括して集約し、当該マルチキャストグループアドレスに従う送信先へと配信することができる。尚、ＩＰビデオ信号のリソースの名称は、標準規格ＳＭＰＴＥ２０２２−５／６に基づいて１０ＧｂＥ等のフレーム内のＩＰｖ４ヘッダに記述されたマルチキャストグループアドレスに紐づいている。
【００３０】
そして、図４に示す従来技法と同様に、図１に示すＩＰビデオシステムにおいても、屋外設備２では、非パケット形式のビデオ信号の送信元としてビデオ信号送信装置２０‐Ｌ（Ｌは１以上の整数）が設けられ、ビデオ信号送信装置２０‐Ｌは、ＨＤ−ＳＤＩ規格に基づく同軸ケーブルを介してＩＰゲートウェイ（ＩＰ−ＧＷ）装置２１に接続される。ＩＰ−ＧＷ装置２１は、各ビデオ信号送信装置２０‐Ｌから非パケット形式のビデオ信号を入力し、ＩＰビデオスイッチャーによる非パケット形式のビデオ信号からＩＰパケット形式のＩＰビデオ信号へと変換する機能と、ＩＰアドレスにマルチキャストグループアドレスを記述してマルチキャスト通信（本例では１０ＧｂＥ）のＩＰビデオ信号へと変換する機能を有し、ビデオ信号送信装置２０‐Ｌをリソースとするビデオ信号についてマルチキャスト通信（本例では１０ＧｂＥ）のＩＰビデオ信号に変換してネットワークを経てラック室設備４へと送信する。尚、ＩＰ−ＧＷ装置２１によるマルチキャストグループアドレスの割り当ては、制御サーバ（図示せず）によって予めスケジューリングされたものに従うものとなっている。また、図１では、ＩＰ−ＧＷ装置２１について１台のみ図示しているが複数台であってもよい。
【００３１】
同様に、放送センター設備１内であっても、ラック室外設備３において、非パケット形式のビデオ信号の送信元としてビデオ信号送信装置３０‐Ｍ（Ｍは１以上の整数）が設けられ、ビデオ信号送信装置３０‐Ｍは、ＨＤ−ＳＤＩ規格に基づく同軸ケーブルを介してＩＰゲートウェイ（ＩＰ−ＧＷ）装置３１に接続される。ＩＰ−ＧＷ装置３１は、各ビデオ信号送信装置３０‐Ｍから非パケット形式のビデオ信号を入力し、ＩＰビデオスイッチャーによる非パケット形式のビデオ信号からＩＰパケット形式のＩＰビデオ信号へと変換する機能と、ＩＰアドレスにマルチキャストグループアドレスを記述してマルチキャスト通信（本例では１０ＧｂＥ）のＩＰビデオ信号へと変換する機能を有し、ビデオ信号送信装置３０‐Ｍをリソースとするビデオ信号についてマルチキャスト通信（本例では１０ＧｂＥ）のＩＰビデオ信号に変換してラック室設備４へと送信する。尚、ＩＰ−ＧＷ装置３１によるマルチキャストグループアドレスの割り当ては、制御サーバ（図示せず）によって予めスケジューリングされたものに従うものとなっている。また、図１では、ＩＰ−ＧＷ装置３１について１台のみ図示しているが複数台であってもよい。
【００３２】
ところで、図１に示すＩＰビデオシステムにおいては、ラック室設備４として、本発明による一実施形態のＩＰビデオ割込装置４０と、ＩＰビデオルーター（ＩＰ−ＶＲ）装置４１、ＩＰゲートウェイ（ＩＰ−ＧＷ）装置４２、及びビデオ信号受信装置４３‐Ｎ（Ｎは１以上の整数）が設けられている。ビデオ信号受信装置４３‐Ｎは、ＨＤ−ＳＤＩ規格に基づく同軸ケーブルを介してＩＰ−ＧＷ装置４２に接続される。ただし、ビデオ信号受信装置４３‐Ｎ（Ｎは１以上の整数）は、ラック室設備４内のものに限定する必要はない。
【００３３】
ＩＰビデオ割込装置４０は、その詳細は後述するが、屋外設備２及びラック室外設備３におけるそれぞれのＩＰ−ＧＷ装置２１，３１からのビデオ信号に基づくマルチキャスト通信（本例では１０ＧｂＥ）のＩＰビデオ信号を入力して一括管理し、割込制御端末１０によって電気的な外部制御によって別のＩＰビデオ信号の割り込みを可能とし、所定のビデオ信号受信装置４３‐Ｎに伝送するために、ＩＰ−ＶＲ装置４１へと中継する。特に、本実施形態の例では、割込制御端末１０はネットワークを通じてＩＰビデオ割込装置４０とＷｅｂ接続可能となっており、ＩＰビデオ割込装置４０から提示される制御ユーザーインターフェース（ＵＩ）により、当該ＩＰビデオ信号の割り込み制御が可能に構成される。例えば、割込制御端末１０は、放送センター設備１の内外、特に屋外設備２やラック室外設備３に設置することができる。
【００３４】
ＩＰ−ＶＲ装置４１は、ＩＰビデオ割込装置４０から出力されるマルチキャスト通信（本例では１０ＧｂＥ）のＩＰビデオ信号を配信制御してＩＰ−ＧＷ装置４２に出力する。
【００３５】
ＩＰ−ＧＷ装置４２は、ＩＰ−ＶＲ装置４１を経て得られるＩＰビデオ信号を入力し、ＩＰアドレスに記述されたマルチキャストグループアドレスに従うマルチキャスト通信（本例では１０ＧｂＥ）のＩＰビデオ信号について、ＩＰビデオスイッチャーによるＩＰパケット形式のＩＰビデオ信号から非パケット形式のビデオ信号へと変換する機能を有し、当該マルチキャストグループのビデオ受信装置４３‐Ｎへと送信する。尚、ＩＰ−ＧＷ装置４２によるマルチキャストグループアドレスの割り当ては、制御サーバ（図示せず）によって予めスケジューリングされたものに従うものとなっている。
【００３６】
〔ＩＰビデオ割込装置の構成〕
図２は、本発明による一実施形態のＩＰビデオ割込装置４０の概略構成を示すブロック図である。ＩＰビデオ割込装置４０は、ＩＰビデオ信号入力部４０１‐Ｋ（Ｋは１以上の整数）、多重化部４０２、ヘッダ変換部４０３、出力部４０４、ヘッダ監視・変換制御部４０５、Ｗｅｂサーバ機能部４０６、及び通信部４０７を備える。Ｗｅｂサーバ機能部４０６は、ユーザ認証部４０６ａ及び制御ＵＩ提示部４０６ｂを有する。
【００３７】
ＩＰビデオ信号入力部４０１‐Ｋは、屋外設備２及びラック室外設備３におけるそれぞれの第１のビデオ信号送信装置（ＩＰ−ＧＷ装置２１，３１）からのビデオ信号についてＩＰパケット形式に変換されて個別にマルチキャストグループアドレスが割り当てられたマルチキャスト通信（本例では１０ＧｂＥ）のＩＰビデオ信号を入力し、多重化部４０２に出力する。例えば、ＩＰビデオ信号入力部４０１‐１は第１のマルチキャストグループアドレスが割り当てられた第１のＩＰビデオ信号を入力し、ＩＰビデオ信号入力部４０１‐２は第２のマルチキャストグループアドレスが割り当てられた第２のＩＰビデオ信号を入力し、それぞれ多重化部４０２に出力する。
【００３８】
多重化部４０２は、ＩＰビデオ信号入力部４０１‐Ｋから複数入力されるＩＰビデオ信号のうち、Ｗｅｂサーバ機能部４０６からの指示に従って作動するヘッダ監視・変換制御部４０５からの多重化制御信号に基づいて、選択されたＩＰビデオ信号を時分割多重化した多重化信号を生成し、ヘッダ変換部４０３に出力する。
【００３９】
ヘッダ監視・変換制御部４０５は、多重化部４０２に入力される全てのＩＰビデオ信号を一括管理するＩＰビデオ管理手段として構成され、多重化部４０２から、当該入力されるＩＰビデオ信号に割り当てられているマルチキャストグループアドレスを抽出し、抽出したマルチキャストグループアドレスに関する多重化対象情報を取得して監視する機能を有する。多重化対象情報は、抽出したマルチキャストグループアドレスを持つＩＰビデオ信号について多重化部４０２にて多重化可能である旨を示す。
【００４０】
また、ヘッダ監視・変換制御部４０５は、取得した多重化対象情報に従い多重化可能であるＩＰビデオ信号のうち、第１のマルチキャストグループアドレスを持つ第１のＩＰビデオ信号と第２のマルチキャストグループアドレスを持つ第２のＩＰビデオ信号を選択し、多重化するよう制御する多重化制御信号を多重化部４０２に出力する機能を有する。これにより、多重化部４０２は、ヘッダ監視・変換制御部４０５からの多重化制御信号に基づいて、第１のマルチキャストグループアドレスを持つ第１のＩＰビデオ信号、並びに第２のマルチキャストグループアドレスを持つ第２のＩＰビデオ信号を選択し、多重化した多重化信号を生成する。
【００４１】
また、ヘッダ監視・変換制御部４０５は、当該多重化制御信号により多重化部４０２にて第１のＩＰビデオ信号と第２のＩＰビデオ信号を選択し、当該第２のＩＰビデオ信号に割り当てられていた第２のマルチキャストグループアドレスを、当該第１のマルチキャストグループアドレスに書き換えるヘッダ変換を行うよう制御するヘッダ書換信号をヘッダ変換部４０３に出力する機能を有する。
【００４２】
ヘッダ変換部４０３は、当該ヘッダ書換信号に従って、即ちヘッダ監視・変換制御部４０５の制御によって当該第２のＩＰビデオ信号のヘッダ変換を行い、当該第２のＩＰビデオ信号を割り込ませた多重化信号を出力部４０４に出力する。
【００４３】
このようなヘッダ監視・変換制御部４０５の機能は、Ｗｅｂサーバ機能部４０６からの指示に従って作動する。
【００４４】
Ｗｅｂサーバ機能部４０６は、通信部４０７を介して割込制御端末１０とＷｅｂサーバ機能部４０６とのＷｅｂ接続を可能とし、固有のＷｅｂアドレスを有する。そして、Ｗｅｂサーバ機能部４０６は、割込制御端末１０のＷｅｂ接続時に、割込制御端末１０のユーザに対しＩＤやパスワードなどのユーザ認証を行わせるユーザ認証部４０６ａ、及び割込制御端末１０に対しヘッダ監視・変換制御部４０５を作動させるための制御ＵＩを提示する制御ＵＩ提示部４０６ｂを有する。
【００４５】
割込制御端末１０に提示される制御ＵＩは、少なくとも、上述した多重化対象情報に基づく多重化部４０２にて多重化可能なＩＰビデオ信号のマルチキャストグループアドレス群と、これらの多重化可能なＩＰビデオ信号のうち多重化させるものを選択可能とし、且つマルチキャストグループアドレスの書き換えを選択可能とする切替指定（例えば、後述する図３に示す切替指示線）が提示される。これにより、割込制御端末１０を操作するユーザは、多重化部４０２にて多重化可能なＩＰビデオ信号を監視することができ、尚且つ多重化部４０２にて多重化可能なＩＰビデオ信号のうち、所望のＩＰビデオ信号の多重化を選択指定でき、加えて、所望のＩＰビデオ信号のマルチキャストグループアドレスの書き換えを選択指定できる。そして、割込制御端末１０は、ＩＰビデオ割込装置４０に対しＷｅｂ接続で遠隔制御できるようになる。
【００４６】
出力部４０４は、ヘッダ変換部４０３を経て当該割り込ませた第２のＩＰビデオ信号を第１のマルチキャストグループアドレスに係る所定のビデオ信号受信装置に伝送するよう中継出力する。
【００４７】
〔ＩＰビデオ割込装置の動作〕
図３は、本発明による一実施形態のＩＰビデオ割込装置４０の一動作例に基づく動作説明図である。図３においては、ＩＰビデオ割込装置４０の主要な構成要素のみ簡易的に図示している。
【００４８】
図３に示す例では、複数のラック室外設備３に設けられている２台のＩＰ−ＧＷ装置３１の各々から、特異の第１のマルチキャストグループアドレスＡ１，Ａ２，Ａ３、及びＢ１，Ｂ２，Ｂ３をそれぞれ持つＩＰビデオ信号（本例では１０ＧｂＥ）が時分割多重されてそれぞれＩＰビデオ割込装置４０に入力されているとする。
【００４９】
また、屋外設備２に設けられている１台のＩＰ−ＧＷ装置２１から、特異の第２のマルチキャストグループアドレスＣ１，Ｃ２を持つＩＰビデオ信号（本例では１０ＧｂＥ）が時分割多重されてそれぞれＩＰビデオ割込装置４０に入力されているとする。
【００５０】
そして、屋外設備２にて割込制御端末１０がＩＰビデオ割込装置４０のＷｅｂサーバ機能部４０６とのＷｅｂ接続が確立され、図示するような制御ＵＩが提示されている。尚、制御ＵＩが提示される時点で、Ｗｅｂサーバ機能部４０６はヘッダ監視・変換制御部４０５を機能させる。このため、割込制御端末１０に提示される制御ＵＩは、上述した多重化対象情報に基づく多重化部４０２にて多重化可能なＩＰビデオ信号のマルチキャストグループアドレス群Ａ１，Ａ２，Ａ３，Ｂ１，Ｂ２，Ｂ３が表示される。また、これらの多重化可能なＩＰビデオ信号のうち多重化させるものを選択可能とし、且つマルチキャストグループアドレスの書き換えを選択可能とする切替指定（図３に示す切替指示線）が提示される。
【００５１】
図３に例示する制御ＵＩ上では、
“Ａ１”のＩＰビデオ信号は、そのマルチキャストグループアドレスを維持して多重化対象“Ｉ１”とし、
“Ａ２”のＩＰビデオ信号は、そのマルチキャストグループアドレスを維持して多重化対象“Ｉ２”とし、
“Ａ３”のＩＰビデオ信号は、そのマルチキャストグループアドレスを維持して多重化対象“Ｉ３”とし、
“Ｂ１”のＩＰビデオ信号は、そのマルチキャストグループアドレスを維持して多重化対象“Ｉ４”とし、
“Ｃ１”のＩＰビデオ信号は、そのマルチキャストグループアドレスを“Ｂ２”に書き換えて多重化対象“Ｉ５”とし、
“Ｃ２”のＩＰビデオ信号は、そのマルチキャストグループアドレスを“Ｂ３”に書き換えて多重化対象“Ｉ６”とし、
“Ｂ２”，“Ｂ３”のＩＰビデオ信号は、多重化部４０２にて廃棄し多重化しないものとするよう、（切替指示線）で選択指定した例を示している。
【００５２】
この制御ＵＩ上で選択指定された内容に基づいて、Ｗｅｂサーバ機能部４０６はヘッダ監視・変換制御部４０５を機能させ、ヘッダ監視・変換制御部４０５は、対応する多重化制御信号を多重化部４０２に出力する。
【００５３】
これにより、多重化部４０２は、ラック室外設備３からの第１のマルチキャストグループアドレス“Ａ１”，“Ａ２”，“Ａ３”，“Ｂ１”をそれぞれ持つ各第１のＩＰビデオ信号と、屋外設備２からの第２のマルチキャストグループアドレス“Ｃ１”，“Ｃ２” をそれぞれ持つ各第２のＩＰビデオ信号を時分割多重した多重化信号をヘッダ変換部４０３に出力する。
【００５４】
また、ヘッダ監視・変換制御部４０５は、当該多重化制御信号により多重化部４０２にて第１のマルチキャストグループアドレス“Ｂ２”，“Ｂ３”をそれぞれ持つ各第１のＩＰビデオ信号を多重化する代わりに、第２のマルチキャストグループアドレス“Ｃ１”，“Ｃ２”をそれぞれ持つ各第２のＩＰビデオ信号を選択した際に、当該第２のＩＰビデオ信号に割り当てられていた第２のマルチキャストグループアドレス“Ｃ１”，“Ｃ２”を、それぞれ当該第１のマルチキャストグループアドレス“Ｂ２”，“Ｂ３”に書き換えるヘッダ変換を行うよう制御するヘッダ書換信号をヘッダ変換部４０３に出力する。
【００５５】
これにより、ヘッダ変換部４０３は、当該ヘッダ書換信号に従って、ヘッダ監視・変換制御部４０５の制御によって当該第１のマルチキャストグループアドレス“Ｂ２”，“Ｂ３”に書き換えた当該第２のＩＰビデオ信号を割り込ませた多重化信号を出力する。
【００５６】
このように、本実施形態のＩＰビデオ割込装置４０は、割込制御端末１０に提示される制御ＵＩに基づいて、多重化部４０２にて多重化可能なＩＰビデオ信号のマルチキャストグループアドレス群を一括管理し、これらの多重化可能なＩＰビデオ信号のうち多重化させるものを選択的に制御し、且つマルチキャストグループアドレスの書き換えを可能とする制御を行う。これにより、本実施形態のＩＰビデオ割込装置４０は、放送に係るマルチキャスト通信に基づくリソースのＩＰビデオ信号について一括管理し、電気的な外部制御で別のＩＰビデオ信号の割り込みを可能とし、所定のビデオ信号受信装置に伝送するよう中継することができるので、放送に係るマルチキャスト通信のＩＰビデオシステムにおける利便性又は帯域効率を高めることができる。
【００５７】
以上、特定の実施形態の例を挙げて本発明を説明したが、本発明は前述の実施形態の例に限定されるものではなく、その技術思想を逸脱しない範囲で種々変形可能である。例えば、上述した実施形態の例では、多重化部４０２を例に説明したが、２入力１出力マルチプレクサとして信号切り替えのみを行う構成とすることもできる。ただし、このような２入力１出力マルチプレクサの機能は上述した多重化部４０２のような多入力１多重出力マルチプレクサの一機能に含まれるため、帯域効率を高める観点からは上述した多重化部４０２のように多重化可能に構成することが好ましい。また、多重化部４０２は、ヘッダ変換部４０３の前段でなく後段に配置してもよい。
【産業上の利用可能性】
【００５８】
本発明によれば、放送に係るマルチキャスト通信に基づくリソースのＩＰビデオ信号について一括管理し、電気的な外部制御で別のＩＰビデオ信号の割り込みを可能とし、所定のビデオ信号受信装置に伝送するよう中継することができるので、放送に係るマルチキャスト通信のＩＰビデオシステムの用途に有用である。
【符号の説明】
【００５９】
１  放送センター設備
２  屋外設備
３  ラック室外設備
４  ラック室設備（中央通信制御設備）
１０  割込制御端末
２０‐１，２０‐２，２０‐Ｌ  ビデオ信号送信装置
２１  ＩＰ−ＧＷ装置
３０‐１，３０‐２，３０‐Ｍ  ビデオ信号送信装置
３１  ＩＰ−ＧＷ装置
４０  ＩＰビデオ割込装置
４１  ＩＰ−ＶＲ装置
４２  ＩＰ−ＧＷ装置
４３‐１，４３‐２，４３‐Ｎ  ビデオ信号受信装置
４０１‐１，４０１‐２，４０１‐Ｋ  ＩＰビデオ信号入力部
４０２  多重化部
４０３  ヘッダ変換部
４０４  出力部
４０５  ヘッダ監視・ヘッダ変換制御部
４０６  Ｗｅｂサーバ機能部
４０６ａ  ユーザ認証部
４０６ｂ  制御ＵＩ提示部
４０７  通信部
【図１】
2019193032.tif 000003
【図２】
2019193032.tif 000004
【図３】
2019193032.tif 000005
【図４】
2019193032.tif 000006